(57)【特許請求の範囲】
【請求項１】
供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、前記契約電力入力手段により入力された契約電力と前記電力検知手段により検知された各配電線への供給電力と前記配電線電力設定手段により設定された各配電線の供給可能電力と前記最大消費入力手段により入力された消費電力量の最大電気機器の消費電力量とにより各配電線に新たに電気機器の追加が可能かどうかを判定する追加判定手段を備え、前記追加判定手段による追加の可否判定から前記分配配電ブレーカーの配電する容量を電気機器に合わせて設定し前記分配配電ブレーカーの組合せを変更し制御する配電コントロール手段を備えたことを特徴とする電力管理装置。
【請求項２】
負荷を予測する負荷予測手段と、負荷予測結果から電力供給側の負荷変動を予測し、予測結果に応じて分配配電ブレーカーの組合せを変更する配電コントロール手段を備えたことを特徴とする請求項１記載の電力管理装置。
【請求項３】
電力状態、前記系統配電ブレーカーの接続状況、分配配電ブレーカーの接続状況の全てあるいはいずれかの状態を表示する表示手段を備えたことを特徴とする請求項１または２記載の電力管理装置。
【請求項４】
各配電線への供給電力を検知する電力検知手段と、停電等の供給電源側が不安定、休止あるいは停止した際に各電気機器の設定状態を記憶する設定記憶手段と、供給電源が復帰した際に前記各電気機器へ不安定、休止あるいは停止した際の設定状態を送信する設定送信手段を備えたことを特徴とする請求項１から３いずれかに記載の電力管理装置。
【請求項５】
各電気機器の設定状態を記憶する設定記憶手段と、前記各電気機器へ設定状態を送信する設定送信手段を備えたことを特徴とする請求項１から３いずれかに記載の電力管理装置。
【請求項６】
供給電源側の節電の必要性を判定する節電判定手段を備えたことを特徴とする請求項１から５いずれかに記載の電力管理装置。
【請求項７】
電気機器に供給する電力を調整する電力調整手段を備えたことを特徴とする請求項１から６いずれかに記載の電力管理装置。
【請求項８】
外部と通信し、外部から設定状態を変更あるいは確認する外部通信手段を備えたことを特徴とする請求項１から７いずれかに記載の電力管理装置。
【請求項９】
供給される電力を蓄電可能な電力に、及び蓄電した電力を電気機器に供給可能な電力に変換する電力変換手段と、変換された電力を蓄電する蓄電手段を備えたことを特徴とする請求項１から８いずれかに記載の電力管理装置。
【発明の詳細な説明】
【０００１】
【発明の属する技術分野】
本発明は、多種、多様な電気機器を管理する電力管理装置に関するものである。
【０００２】
【従来の技術】
近年、電気機器は省エネルギー化が進められているが、電力系統全体の消費電力から観た場合、どの程度の電力量消費され、かつ電力系統の保全を考えると、複数の電気機器全体を管理、制御する必要性がある。
【０００３】
また、電気機器は、様々な固有の機能を保有し、瞬時的な停電を含め、電源系統が遮断された場合、機能のカスタム化した状態はリセットされることがあり、再設定する際に、設定マニュアルが必要となることや、遮断前の設定は人的な記憶媒体にのみ委ねられることになり、手間がかかることになる。
【０００４】
さらに、電力系統から取り出せる電力量は固定されており、系統毎に需要と供給のバランスがとれない場合があるといった課題がある。
【０００５】
また最近では、パワーコンディショナーとして、太陽光発電と系統とを連系した電源があるが、連系運転、単独運転の問題として検出方法が多く考案されており、特開平１０−２４８１８０号公報に示すような構成が一般的であった。以下、その構成について図６４を参照しながら説明する。
【０００６】
図に示すように、電力管理として、太陽電池により発電された直流電力を交流電力に変換するインバータと、各電力系統の接続を行うＡＣスイッチと、直流電力を充電するバッテリと、バッテリに接続され順・逆変換を行う変換器と、系統に接続された電力量計と、各内部機器及び外部機器との通信を行う通信装置と、各機器の制御を行う集中監視制御装置と家電機器とにより構成している。
【０００７】
上記構成において電気機器の消費電力が系統の最大供給電力を超える場合には、電気機器への供給電力を制限することにより、電気機器の消費電力が系統の最大供給電力を超え系統がダウンすることを防止することになる。
【０００８】
【発明が解決しようとする課題】
このような従来の電力管理装置では、電力供給制御の対象として太陽電池あるいは系統といった供給側の制御であり、電気機器が接続される個々の配電線における制御でないため、電気機器の接続される配電ブレーカーに偏りが発生した場合は、ローカル系統がダウンすることになるという課題があり、配電ブレーカーを自動的に切り替え配電線、供給側の使用可能電力を最大限に有効利用することが要求されている。
【０００９】
また、使用される負荷の今後の変動予測を行なわない為、電力消費量に偏り、電力消費のピーク時には電源が不安定になるという課題があり、負荷予測による最適な電力の分配が自動で変更することが要求されている。
【００１０】
また、配電ブレーカーが遮断状態となった場合に、どの配電ブレーカーが遮断されたかが容易に確認できないという課題があり、どの配電ブレーカーが遮断されたかが容易に確認できるようにすることが要求されている。
また、電気機器の設定状態は、電源遮断時にリセットされ、再設定をする手間がかかる課題があり、電気機器の設定状態を一括して記憶し、電源復帰時に自動で再設定することが要求されている。
【００１１】
さらに、使用される電気機器は、年々増加の傾向にあり、使用される電力についても年々増加の一途を辿っており、省電力化をする必要があるという課題があり、電気機器の待機電力の最小化、電気機器の運転時の最小電力化することが要求されている。
【００１２】
また、電気機器の運転、停止、さらに設定変更は、生活レベルの向上に伴い、快適性の向上のみならず、遠隔操作、一括操作といった付加機能が不足しているといった課題があり、通信媒体等を使用した操作性の向上が要求されている。
【００１３】
さらに、商用電源における供給電力の不足、あるいは発電システムにおける発電電力の不安定による電気機器への安定した電源供給ができないといった課題があり、電力を有効かつ効果的に利用することが求められている。
【００１４】
本発明は上記課題を解決するもので、家庭で使用する電気機器の使用場所、使用状態に関わらず、ブレーカー容量を超過して遮断されることを低減することを第１の目的とする。
【００１５】
第２の目的は、負荷予測による最適な電力の分配が自動で変更することが要求されている。
【００１６】
第３の目的は、配電の状態を集中監視することにある。
【００１７】
第４の目的は、停電時等の電源遮断時に各電気機器の設定状態を一時的に待避させ、電源復帰時に設定状態を復元し、再設定の手間を省くことにある。
【００１８】
第５の目的は、各配電系統のいずれかが部分的に休止した場合、休止した配電系統に接続されていた各電気機器の設定状態を一時的に待避させ、電源復帰時に設定状態を復元し、再設定の手間を省くことにある。
【００１９】
第６の目的は、供給される電力が不安定となった場合や、節電の必要性が発生した場合に、各配電ブレーカーの最適合成を行い、停電時の対応として電気機器の設定状態を記憶し、復帰時に再設定することで再設定の手間を省くことにある。
【００２０】
第７の目的は、供給電源の電圧が下降した場合に、電気機器への電力供給条件を変更することで電気機器の安全性を高めると同時に、電気機器の利用効率を上げることにある。
【００２１】
第８の目的は、外部との通信により、供給電源の安定性の低下、外部から電気機器の設定変更を行うことにある。
【００２２】
第９の目的は、供給電源が不安定、あるいは電気機器の瞬時的な電力増加時の応急電源として使用することにある。
【００２３】
【課題を解決するための手段】
本発明の第１の目的を達成するための第１の手段は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、前記契約電力入力手段により入力された契約電力と前記電力検知手段により検知された各配電線への供給電力と前記配電線電力設定手段により設定された各配電線の供給可能電力と前記最大消費入力手段により入力された消費電力量の最大電気機器の消費電力量とにより各配電線に新たに電気機器の追加が可能かどうかを判定する追加判定手段を備え、前記追加判定手段による追加の可否判定から前記分配配電ブレーカーの配電する容量を電気機器に合わせて設定し前記分配配電ブレーカーの組合せを変更し前記分配配電ブレーカーを制御する配電コントロール手段を備える構成としたものである。
【００２４】
本発明によれば、電気機器の使用場所、使用状態に関わらず、ブレーカー容量を超過して遮断されることを低減することができる電力管理機器が得られる。
【００２５】
また、第２の目的を達成するための第２の手段は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から分配配電ブレーカーを制御する配電コントロール手段と、負荷を予測する負荷予測手段と、負荷予測結果から電力供給側の負荷変動を予測し、予測結果に応じて分配配電ブレーカーの組合せを変更する配電コントロール手段を備える構成としたものである。
【００２６】
本発明によれば、負荷予測による最適な電力の分配が自動で変更することができる電力管理装置が得られる。
【００２７】
また、第３の目的を達成するための第３の手段は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から分配配電ブレーカーを制御する配電コントロール手段と、負荷を予測する負荷予測手段と、負荷予測結果から電力供給側の負荷変動を予測し、分配配電ブレーカーの組合せを変更する分散配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段を備える構成としたものである。
【００２８】
本発明によれば、各配電ブレーカーの配電状態を集中監視することができる電力管理機器が得られる。
【００２９】
また、第４の目的を達成するための第４の手段は、各配電線への供給電力を検知する電力検知手段と、停電等の供給電源側が不安定、休止あるいは停止した際に各電気機器の設定状態を記憶する設定記憶手段と、供給電源が復帰した際に前記各電気機器へ不安定、休止あるいは停止した際の設定状態を送信する設定送信手段を備える構成としている。
【００３０】
本発明によれば、停電時等の電源遮断時に各電気機器の設定状態を一時的に待避させ、電源復帰時に設定状態を復元し、再設定の手間を省くことができる電力管理機器が得られる。
【００３１】
また、第５の目的を達成するための第５の手段は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーを制御する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段を備える構成としたものである。
【００３２】
本発明によれば、各配電系統のいずれかが部分的に休止した場合、休止した配電系統に接続されていた各電気機器の設定状態を一時的に待避させ、電源復帰時に設定状態を復元し、再設定の手間を省くことができる電力管理機器が得られる。
【００３３】
また、第６の目的を達成するための第６の手段は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーを制御する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段を備える構成としたものである。
【００３４】
本発明によれば、供給される電力が不安定となった場合や、節電の必要性が発生した場合に、各配電ブレーカーの最適合成を行い、停電時の対応として電気機器の設定状態を記憶し、復帰時に再設定することで再設定の手間を省くことができる電力管理機器が得られる。
【００３５】
また、第７の目的を達成するための第７の手段は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーの組合せを変更し、最適に合成する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段と、各配電線に優先順位を設定し、制御する優先制御手段と、電気機器に供給する電力を調整する電力調整手段を備える構成としたものである。
【００３６】
本発明によれば、供給電源の電圧が下降した場合に、電気機器への電力供給条件を変更することで電気機器の安全性を高めると同時に、電気機器の利用効率を上げることができる電力管理機器が得られる。
【００３７】
また、第８の目的を達成するための第８の手段は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーの組合せを変更し、最適に合成する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段と、各配電線に優先順位を設定し、制御する優先制御手段と、電気機器に供給する電力を調整する電力調整手段と、外部と通信し、外部から設定状態を変更あるいは確認する外部通信手段を備える構成としたものである。
【００３８】
本発明によれば、外部との通信により、供給電源の安定性の低下、外部から電気機器の設定変更を行うことができる電力管理機器が得られる。
【００３９】
また、第９の目的を達成するための第９の手段は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーの組合せを変更し、最適に合成する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段と、各配電線に優先順位を設定し、制御する優先制御手段と、電力調整手段と、外部と通信する外部通信手段と、供給される電力を蓄電可能な電力に変換する電力変換手段と、変換された電力を蓄電する蓄電手段を備える構成としたものである。
【００４０】
本発明によれば、供給電源が不安定、あるいは電気機器の瞬時的な電力増加時の応急電源として使用することができる電力管理機器が得られる。
【００４１】
【発明の実施の形態】
本発明は、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から前記分配配電ブレーカーの配電する容量を電気機器に合わせて設定し前記分配配電ブレーカーの組合せを変更し分配配電ブレーカーを制御する配電コントロール手段を備える構成としたものであり、家庭で使用する電気機器の使用場所、使用状態に関わらず、ブレーカー容量を超過して遮断されることを低減することができるという作用を有する。
【００４２】
また、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から分配配電ブレーカーを制御する配電コントロール手段と、負荷を予測する負荷予測手段と、負荷予測結果から電力供給側の負荷変動を予測し、予測結果に応じて分配配電ブレーカーの組合せを変更する配電コントロール手段を備える構成としたものであり、負荷予測による最適な電力の分配が自動で変更することができるという作用を有する。
【００４３】
また、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から分配配電ブレーカーを制御する配電コントロール手段と、負荷を予測する負荷予測手段と、負荷予測結果から電力供給側の負荷変動を予測し、分配配電ブレーカーの組合せを変更する分散配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段を備える構成としたものであり、配電の状態を集中監視することができるという作用を有する。
【００４４】
また、各配電線への供給電力を検知する電力検知手段と、停電等の供給電源側が不安定、休止あるいは停止した際に各電気機器の設定状態を記憶する設定記憶手段と、供給電源が復帰した際に前記各電気機器へ設定状態を送信する設定送信手段を備える請求項１から３いずれかに記載の電力管理装置の構成としたものであり、停電時等の電源遮断時に各電気機器の設定状態を一時的に待避させ、電源復帰時に設定状態を復元し、再設定の手間を省くことができるという作用を有する。
【００４５】
また、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーを制御する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段を備える構成としたものであり、各配電系統のいずれかが部分的に休止した場合、休止した配電系統に接続されていた各電気機器の設定状態を一時的に待避させ、電源復帰時に設定状態を復元し、再設定の手間を省くことができるという作用を有する。
【００４６】
また、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーを制御する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段を備える構成としたものであり、供給される電力が不安定となった場合や、節電の必要性が発生した場合に、各配電ブレーカーの最適合成を行い、停電時の対応として電気機器の設定状態を記憶し、復帰時に再設定することで再設定の手間を省くことができるという作用を有する。
【００４７】
また、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーの組合せを変更し、最適に合成する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段と、各配電線に優先順位を設定し、制御する優先制御手段と、電力調整手段を備える構成としたものであり、供給電源の電圧が下降した場合に、電気機器への電力供給条件を変更することで電気機器の安全性を高めると同時に、電気機器の利用効率を上げることができるという作用を有する。
【００４８】
また、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーの組合せを変更し、最適に合成する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段と、各配電線に優先順位を設定し、制御する優先制御手段と、電力調整手段と、外部と通信する外部通信手段を備える構成としたものであり、外部との通信により、供給電源の安定性の低下、外部から電気機器の設定変更を行うことができるという作用を有する。
【００４９】
また、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーの組合せを変更し、最適に合成する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段と、各配電線に優先順位を設定し、制御する優先制御手段と、電力調整手段と、外部と通信する外部通信手段と、供給される電力を蓄電可能な電力に変換する電力変換手段と、変換された電力を蓄電する蓄電手段を備える構成としたものであり、供給電源が不安定、あるいは電気機器の瞬時的な電力増加時の応急電源として使用することができるという作用を有する。
【００５０】
以下、本発明の実施例について図面を参照しながら説明する。
【００５１】
【実施例】
（実施例１）
以下、本発明の第１実施例（実施例１に対応）について、図１〜図８を参照しながら説明する。
【００５２】
図１に示すように、商用電源に接続された電力管理装置は負荷である電気機器１に接続される。電気機器１は電気機器１ａ、１ｂ、１ｃ、１ｄから構成される。電気機器１とは、例えば空調機、テレビ、冷蔵庫、洗濯器等の家庭電気製品である。電力管理装置は、系統配電ブレーカー２と、系統配電ブレーカー２の電力を各配電線に分配する分配配電ブレーカー３と、契約電力を入力する契約電力入力手段４と、各配電線への供給電力を検知する電力検知手段５としての電力計５ａから５ｅ、各配電線の供給可能電力を設定する配電線電力設定手段６と、消費電力量が最大の電気機器１ａから１ｄのいずれかの消費電力量を入力する最大消費入力手段７と、配電線に電気機器１ａから１ｄのいずれかの追加が可能かどうかを判定する追加判定手段８と、追加の可否判定から分配配電ブレーカー３の組合せを変更し、最適に合成する配電コントロール手段９ａにより構成されている。
【００５３】
配電コントロール手段９ａの制御フローチャートを図２に示す。
【００５４】
図に示すように、配電コントロール手段９ａは、契約電力入力手段４により契約電力、すなわち許容できる最大消費量を入力する。次に、電力計５ａにより系統全体の消費電力を入力する。さらに入力した系統全体の消費電力が、契約電力と比較してどの程度余裕があるかを判定する。さらに、電気機器１ｄを追加しようとしている配電線の消費電力量を電力計５ｅから検知する。配電線の消費電力と、配電線の供給可能電力から追加可能な電力量を算出する。さらに電気機器１ｄの追加が可能かどうかを追加判定手段８により判定する。追加が可能であれば、電気機器１ｄは使用可能となるが、追加不可能であれば、追加された電気機器１ｄは電源供給されず、使用不可能となる。
【００５５】
次に契約電力入力手段４について、図３を参照しながら説明する。
【００５６】
図に示すように、契約電力入力手段４は、系統配電ブレーカー２を設置した際に契約電力を設定するように位置しており、電流値３０アンペア等の設定をするようにディップスイッチ４ａと、ディップスイッチ４ｂからの信号から設定した契約電力を判定するディップスイッチ認識手段４ｃにより構成する。ディップスイッチ認識手段４ｃは、人的に設定されたディップスイッチ４ａ、４ｂのパターンを読込み認識する。
【００５７】
次に追加判定手段８について、図４及び図５を参照しながら説明する。
【００５８】
図に示すように、追加判定手段８は、機器立上げ時に突入電流が流れる為、突入電流のパルス的な瞬時ピーク電力の予測値から、電気機器１ａから１ｄのいずれかの使用電力が供給可能かを判定する。図中のＴ０までの時間は、既に使用している電気機器１ａから１ｄのいずれかまでの消費電力Ｉ０を示しており、Ｔ０の瞬間に電気機器１ａから１ｄのいずれかを立ち上げた一例を示している。図中の実線のような消費となった場合は、追加可能な場合を示し、一点破線は追加不可能な場合を示す。図中に示すように、Ｔ０の瞬間から、電気機器１ａから１ｄのいずれかの立ち上げ時の消費電力変化すなわち消費電流の微分値を監視し、消費電力の絶対値と、微分値から供給可能電力Ｉｂを超過するかを判定する。図５に追加判定手段８のフローチャートを示す。図に示すように、追加判定手段８は、電力計５ａから５ｅで検出した電力状態を入力する。入力した電力状態の変化を微分値として演算する。演算した微分値が、電気機器１ａから１ｄそれぞれ固有のある所定値以上となると、電気機器１ａから１ｄそれぞれが運転を開始したと判定する。さらに微分値が電気機器１ａから１ｄそれぞれ固有のある所定値以下となると、電気機器１ａから１ｄそれぞれは停止したと判定する。
【００５９】
次に分配配電ブレーカー３の構成の一例について、図６を参照しながら説明する。
【００６０】
図に示すように、分配配電ブレーカー３は、配電スイッチ３ａから３ｊと、配電端子３ｋから３ｎにより構成する。電気機器１ａから１ｄは配電端子３ｋから３ｎに接続する。配電スイッチ３ａから３ｊは、配電コントロール手段９ａからの信号に応じて配電端子３ｋから３ｎへの供給方法を変更する。配電スイッチ３ａから３ｊは、異なる配電容量であり、容量の異なる配電の組合せで、配電する容量を電気機器１ａから１ｄに合わせて、細かく設定することができる。
【００６１】
次に追加運転が可能と判定された場合の分配配電ブレーカー３、配電コントロール手段９ａの動作について図７を参照しながら説明する。一例として配電スイッチ３ａ、３ｂを５アンペア容量、配電スイッチ３ｃ、３ｄを４アンペア容量、配電スイッチ３ｅ、３ｆを３アンペア容量、配電スイッチ３ｇ、３ｈを２アンペア容量、配電スイッチ３ｉ、３ｊを１アンペア容量の場合で説明する。追加される前の各配電スイッチ３ａから３ｊは、配電端子３ｋに配電スイッチ３ａ及び３ｂ、配電端子３ｌに配電スイッチ３ｃ及び３ｄ、配電端子３ｍに配電スイッチ３ｅ及び３ｆ、配電端子３ｎに配電スイッチ３ｇから３ｊが接続されていたとする。この時、配電端子容量は、各々配電端子３ｋは８アンペア、配電端子３ｌは８アンペア、配電端子３ｍは６アンペア、配電端子３ｎは６アンペアである。さらに各配電端子３ｋから３ｎと電気機器１ａから１ｄを接続する配電線の許容電力は１０アンペアとする。さらに、電気機器１ａの消費が７アンペア、電気機器１ｂの消費が６アンペア、電気機器１ａの消費が５アンペアであったとする。この条件で、配電コントロール手段９ａは、使用している電気機器１ａから１ｃと分配配電ブレーカー３の関係から、分配配電ブレーカー３の過剰な余裕の有無を判定する。電気機器１ａは、消費として７アンペアの使用であるが、供給可能電力として１０アンペア用意しているため、３アンペアの余裕がある。さらに電気機器１ｂに対しても同様に２アンペアの余裕、電気機器１ｃに対しては１アンペアの余裕がある。図に示す例の場合、配電端子３ｋから３ｎに接続される分配配電ブレーカー３には余裕が存在するため、例えば配電端子３ｋの３アンペアの余裕は、配電端子３ｎに接続した配電スイッチ３ｇから３ｊのうちの配電スイッチ３ｇ、３ｉを配電端子３ｋに接続し、配電スイッチ３ａを配電端子３ｋから離脱する。離脱した配電スイッチ３ａは配電端子３ｎに接続し、電気機器１ｄを新たに運転する場合に使用する。
【００６２】
次に配電線電力設定手段６について、図８を参照しながら説明する。
【００６３】
図に示すように、配電線電力設定手段６は、分配配電ブレーカー３から電気機器１への各配電線を設備する際に配電線の許容電力を設定するように位置しており、最大電流値３０アンペア等の設定をするようにディップスイッチ６ａ、６ｂと、ディップスイッチ認識手段６ｃにより構成する。ディップスイッチ認識手段６ｃは、人的に設定されたディップスイッチ６ａ、６ｂのパターンを読込み認識する。
【００６４】
次に最大消費入力手段７について、図９を参照しながら説明する。
図に示すように、最大消費入力手段７は、電気機器１を接続する際に電気機器１の消費電力量を設定するように位置しており、最大電流値６００ワット等の設定をするようにディップスイッチ７ａ、７ｂ、７ｃと、ディップスイッチ認識手段７ｄにより構成する。ディップスイッチ認識手段７ｄは、人的に設定されたディップスイッチ７ａ、７ｂ、７ｃのパターンを読込み認識する。
【００６５】
上記構成により商用電源に接続される系統配電ブレーカー２、配電コントロール手段９ａを備えることで、電気機器１ｄを新たに運転した場合でも安定した、最適な電源供給をすることができる。
【００６６】
このように本発明の第１実施例の電力管理装置によれば、最適な電力の分配が自動で変更することができる。
【００６７】
なお、本実施例において、契約電力入力手段はディップスイッチを使用したが、ダイヤル式等の入力可能な手段であれば同様の効果があることは自明の理である。
【００６８】
また、追加判定手段は電気機器の立ち上げ時の突入電流で検知するとしたが、通信で運転、停止等の信号を受信し判定する等の手段であっても同様の効果があることは自明の理である。
【００６９】
さらに、配電端子は４個、配電スイッチは１０個を例としたが、複数個の個数であれば、同様の効果があることは自明の理である。
【００７０】
また、配電スイッチは容量を１アンペア、２アンペア、３アンペア、４アンペア、５アンペアを例としたが、他の容量の組み合わせであっても同様の効果があることは自明の理である。
【００７１】
さらに、電力検知手段は５個を例としたが、複数個の個数であれば、同様の効果があることは自明の理である。
【００７２】
また、電気機器は４個を例としたが、任意の個数の電気機器であっても同様の効果が得られることは自明の理である。
【００７３】
さらに、分配配電ブレーカーの出力端子は４個を例としたが、複数個の個数であれば、同様の効果があることは自明の理である。
【００７４】
（実施例２）
以下、本発明の第２実施例（実施例１に対応）について、図１０から図１２を参照しながら説明する。
【００７５】
なお、第１実施例と同一部分には同一番号を付し、その詳細な説明は省略する。
【００７６】
図１０に示すように、発電装置の電力管理装置は、太陽電池等を使用した発電システムに接続される系統配電ブレーカー２と、分配配電ブレーカー３と、電力計５ａから５ｅと、配電線電力設定手段６と、最大消費入力手段７と、追加判定手段８と、発電電力量により制御する配電コントロール手段９ｂにより構成する。
【００７７】
配電コントロール手段９ｂの制御フローチャートを図１１に示す。
【００７８】
図に示すように、配電コントロール手段９ｂは、太陽電池から発電する発電電力入力と、蓄電池から放電する蓄電電力入力を検知入力する。次に、系統に接続している電気機器１ａから１ｄの消費を系統全体電力入力として検知する。次に、発電電力、蓄電電力の総和を算出し、発電、蓄電電力総和を算出する。さらに、算出した総和電力と、電力計５ａにより得られる系統全体の消費電力と差分値を算出する。さらに、電気機器１ａから１ｄのいずれかを追加しようとしている配電線の消費電力量を電力計５ｂから５ｅのいずれかから検知する。さらに、配電線の消費電力と、配電線の供給可能電力から追加できる配電線供給可能電力を検知入力する。また電気機器１ａから１ｄのいずれかの追加が可能かどうかを追加判定手段８により判定する。追加が可能であれば、電気機器１ａから１ｄのいずれかは使用可能となるが、追加不可能であれば、追加された電気機器１ａから１ｄのいずれかは電源供給されず、使用不可能となる。
【００７９】
次に追加運転が可能と判定された場合の配電コントロール手段９ｂの制御フローチャートについて図１２を参照しながら説明する。配電コントロール手段９ｂの制御フローチャートは、第１実施例に記載の配電コントロール手段９ａに発電電力の蓄電制御を付加した構成である。需要側の制御は配電コントロール手段９ａと同様の制御を行い、余剰電力あるいは、不足電力を蓄電池に充電あるいは蓄電池から供給するよう制御する。図に示すように、分配配電ブレーカー３の最適合成をまず行い、次に発電電力が需要電力と比較して大小を判定する。発電電力が需要電力より大きい場合は、発電電力を供給するのみの制御となる。発電電力が需要電力より小さい場合は、発電、蓄電電力を供給する制御となる。さらに、発電電力と蓄電電力を足しあわせた電力においても、需要電力に満たない場合は、追加不可能と判定する。
【００８０】
上記構成により発電システムに接続される系統配電ブレーカー２、配電コントロール手段９ｂを備えることで、電気機器１ａから１ｄのいずれかを新たに運転した場合においても発電、蓄電電力に応じた安定した、最適な電源供給をすることができる。
【００８１】
このように本発明の第２実施例の電力管理装置によれば、発電システムの最適な電力の分配が自動で変更することができる。
【００８２】
なお、発電システムは太陽光発電を一例としたが、風力、燃料電池等の発電システムであっても同様の効果があることは自明の理である。
【００８３】
また、発電システムの蓄電部分は蓄電池を使用した例としてが、電気二重層コンデンサ等の蓄電手段であっても同様の効果があることは自明の理である。
【００８４】
また、電気機器は４個を例としたが、任意の個数の電気機器であっても同様の効果が得られることは自明の理である。
【００８５】
さらに、電力検知手段は５個を例としたが、複数個の個数であれば、同様の効果があることは自明の理である。
【００８６】
さらに、分配配電ブレーカーの出力端子は４個を例としたが、複数個の個数であれば、同様の効果があることは自明の理である。
【００８７】
（実施例３）
以下、本発明の第３実施例（実施例１に対応）について、図１３から図１５を参照しながら説明する。
【００８８】
なお、第１から第２実施例と同一部分には同一番号を付し、その詳細な説明は省略する。
【００８９】
図１３に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、優先順位から制御する配電コントロール手段９ｃにより構成する。各電気機器１ａから１ｄへの配電は、商用電源に接続される系統配電ブレーカー２と、配電状態を各電気機器１ａから１ｄの優先順位に従って制御する配電コントロール手段９ｃにより、契約電力を超過しないように制御される。
【００９０】
図１４に配電コントロール手段９ｃのフローチャートを示す。図に示すように、配電コントロール手段９ｃは、まず優先順位設定を読込み、電気機器１ａから１ｄの優先順位を入力する。入力した優先順位から、優先順位の低い順に配電を中止する。配電の中止により、契約電力を下回ったか判定し、下回らない場合は、さらに優先順位の低い電気機器１ａから１ｄのいずれかを配電中止とする。このサイクルを反復し、契約電力を下回るまで継続する。
【００９１】
次に、使用者が設定する優先順位の選択機構を図１５に示す。図１５に示すように、配電端子３ｋから３ｎに優先順位設定スイッチ３ｏから３ｒと、優先順位識別手段３ｓにより優先順位を選択設定するように構成する。図１５の場合、配電端子３ｋに対応する優先順位設定スイッチ３ｏは、優先順位１位に設定し、配電端子３ｌに対応する優先順位設定スイッチ３ｐは、優先順位２位に設定し、配電端子３ｍに対応する優先順位設定スイッチ３ｑは、優先順位３位に設定し、配電端子３ｎに対応する優先順位設定スイッチ３ｒは、優先順位４位に設定する。
【００９２】
配電端子３ｋに電気機器１ａ、配電端子３ｌに電気機器１ｂ、配電端子３ｍに電気機器１ｃ、配電端子３ｎに電気機器１ｄが接続されている場合、電気機器１ａには、例えば冷蔵庫等常時通電の必要な機器を接続する。優先順位１位の配電線に電力を供給する配電端子に接続する配電スイッチ３ａ、３ｂは固定とし、配電端子３ｋの配電スイッチ３ａ、３ｂの切り替えによるノイズを発生しにくいようにし、電源の安定性を向上する。
【００９３】
上記構成により、優先順位に従って配電スイッチ３ａから３ｊの選択、設定変更を行い、従って、冷蔵庫のような常時電源供給が必要な例えば電気機器１ａに対して安定した電源を供給することができる。
【００９４】
このように本発明の第３実施例の電力管理装置によれば、電気機器の優先順位に従って分配配電ブレーカーの設定ができ、電力の分配が可能とすることができる。
【００９５】
なお、優先順位設定スイッチは、配電端子部に設置したが、各電気機器に優先順位設定機能を付加しても同様の効果があることは自明の理である。
【００９６】
また、優先順位設定スイッチは、４段階の優先順位を例としたが、任意の段階の優先順位であっても同様の効果が得られることは自明の理である。
【００９７】
また、電気機器は４個を例としたが、任意の個数の電気機器であっても同様の効果が得られることは自明の理である。
【００９８】
さらに、電力検知手段は５個を例としたが、複数個の個数であれば、同様の効果があることは自明の理である。
【００９９】
さらに、分配配電ブレーカーの出力端子は４個を例としたが、複数個の個数であれば、同様の効果があることは自明の理である。
【０１００】
（実施例４）
以下、本発明の第４実施例（実施例２に対応）について、図１６から図１８を参照しながら説明する。
【０１０１】
なお、第１から第３実施例と同一部分には同一番号を付し、その詳細な説明は省略する。
【０１０２】
図１６に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、負荷を予測する負荷予測手段１０と、負荷予測結果から電力供給側の負荷変動を予測し、分配配電ブレーカー３の組合せを変更する配電コントロール手段９ｄにより構成する。
【０１０３】
図１７に示すように、負荷予測手段１０は、温度センサ１０ａと、湿度センサ１０ｂと、気圧センサ１０ｃと、日射センサ１０ｄと、各センサから負荷を予測する負荷演算部１０ｅにより構成する。
【０１０４】
負荷演算部１０ｅの制御フローチャートについて、図１８を参照しながら説明する。
【０１０５】
図に示すように、まず負荷演算部１０ｅは、温度センサ１０ａ、湿度センサ１０ｂ、気圧センサ１０ｃ、日射センサ１０ｄから室内外の温湿度、気圧、日射量を入力する。入力した室内外の温度から室内外温度差を算出する。次に、空調設定は夏季２８℃設定、冬季１８℃設定と見なし、設定温度と室内外温度差から現時刻における空調負荷を演算する。次に日射量から夏季であれば空調負荷は大きくなるよう前述の空調負荷を補正し、冬季であれば空調負荷を小さくなるよう補正する。更に、温湿度、日射量の時系列変動、気圧から気象の変化を予測し、さらに空調負荷を予測し演算する。また室内の日射量から、現時刻の窓側の照明負荷を演算する。さらに配電コントロール手段９ｄは、各室単位で空調あるいは照明の負荷が予測できるため、各分配配電ブレーカー３の組合せを予測結果に応じてあらかじめ設定変更をする制御を行う。
【０１０６】
図１９に配電コントロール手段９ｄのフローチャートを示す。図に示すように、配電コントロール手段９ｄは、負荷予測手段１０から負荷予測状態を入力する。入力した負荷予測条件から、電気機器１ａから１ｄのそれぞれの設定変化を予測する。さらに、予測した設定変化から消費電力が増加する方向にあれば、各分配配電ブレーカー３の配電端子３ｋから３ｎへ接続する配電スイッチ３ａから３ｊを許容量を増加する方向で組み替える。減少する方向にあれば、許容量を減少させる方向で組み替え、効率的な配電状態とする。
【０１０７】
上記構成により、あらかじめ分配配電ブレーカー３を最適な配電状態とするため、新たに電気機器１ａから１ｄのいずれかが運転状態となった場合においても迅速な対応ができる。
【０１０８】
このように本発明の第４実施例の電力管理装置によれば、負荷予測により最適な電力の分配が自動で変更することができる。
【０１０９】
なお、負荷予測手段として、温度センサ、湿度センサ、気圧センサ、日射センサを使用したが、その他の環境を検知するセンサを利用した場合であっても同様の効果があることは自明の理である。
【０１１０】
また、最適な電力分配として空調機、照明を例としたが、花粉センサ等との組み合わせにより空気清浄器等への電力分配制御を行っても同様の効果があることは自明の理である。
【０１１１】
また、電気機器は４個を例としたが、任意の個数の電気機器であっても同様の効果が得られることは自明の理である。
【０１１２】
また、電力検知手段は５個を例としたが、複数個の個数であれば、同様の効果があることは自明の理である。
【０１１３】
さらに、分配配電ブレーカーの出力端子は４個を例としたが、複数個の個数であれば、同様の効果があることは自明の理である。
【０１１４】
（実施例５）
以下、本発明の第５実施例（実施例３に対応）について、図２０から図２２を参照しながら説明する。
【０１１５】
なお、第１から第４実施例と同一部分には同一番号を付し、その詳細な説明は省略する。
【０１１６】
図２０に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、負荷予測手段１０と、配電コントロール手段９ｄと、電力状態、系統配電ブレーカー２の接続状態、分配配電ブレーカー３の接続状態のすべてあるいはいずれかの状態を表示する表示手段１１としての表示部１１ａ、表示切替手段１１ｂ、送電側からの送電電力の過不足を通知する送電電力過不足通知手段１１ｃにより構成する。
【０１１７】
図２１に表示切替手段１１ｂのフローチャートを示す。図に示すように、表示切替手段１１ｂは送電状態表示、消費状態表示、系統配電ブレーカー２の接続状態表示、分配配電ブレーカー３の接続状態表示を一定時間サイクルで反復表示する。
【０１１８】
図２２に送電電力過不足通知手段１１ｃの制御フローチャートを示す。図に示すように、送電電力過不足通知手段１１ｃは、送電側からの供給電力を供給側総合電力として入力する。次に負荷側の必要電力を各負荷側電力合計を算出する。
【０１１９】
次に送電側からの供給電力と、負荷側の負荷電力を比較する。送電側からの供給電力が不足した場合は、表示部１１ａに電力不足警告を表示する。
【０１２０】
このように本発明の第５実施例の電力管理装置によれば、供給電源の状態、負荷として接続される電気機器への供給電源状態を表示することができ、家庭における消費状態を一望することができる。
【０１２１】
（実施例６）
以下、本発明の第６実施例（実施例４に対応）について、図２３から図２６を参照しながら説明する。
【０１２２】
なお、第１から第５実施例と同一部分には同一番号を付し、その詳細な説明は省略する。
【０１２３】
図２３に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、優先順位から制御する配電コントロール手段９ｃと、各配電線の電力を検知する電力計５ａから５ｄと、停電時等の供給電源側が不安定、休止あるいは停止した際に各電気機器１ａから１ｄの設定状態を記憶する設定記憶手段１２と、供給電源が復帰した時に電気機器１ａから１ｄへ設定状態を送信する設定送信手段１３により構成する。
【０１２４】
図２４に、設定記憶手段１２の制御フローチャートを示す。初めに、設定記憶手段１２は、供給される電源が電気機器１ａから１ｄの許容できる電源条件範囲であるかを判定するため、供給されている電源条件を入力する。次に電源条件が定格値の１０パーセント以下の誤差範囲であれば問題なく処理を抜けるが、電源条件範囲でなければ各電気機器１ａから１ｄへ、各電気機器１ａから１ｄのアドレス、及び設定状態を送信するよう機器データ送信指令を発信する。各電気機器１ａから１ｄの発信した情報は、設定記憶手段１２で受信し、受信データ格納を行う。送信するデータの一例を図２５に示す。図に示すように、送信するデータは電源条件不安定のもとで送受信されるため、パリティチェック等のデータエラーに関する確認を行う。受信した設定状態は、記憶メモリに格納され、管理装置の電源状態が不安定となった場合においても消去されることはない。
【０１２５】
図２６に、設定送信手段１３の制御フローチャートを示す。初めに、設定送信手段１３は、供給される電源が電気機器１ａから１ｄの許容できる電源条件範囲であるかを判定するため、電源条件を入力する。次に電源条件が定格の１０パーセント誤差範囲でなければ、送信を中止し処理を抜けるが、範囲内であれば、各電気機器１ａから１ｄがスタンバイ状態にあるか確認する。確認後に設定データを送信する。送信するデータは、アドレス、設定データとし、各電気機器１ａから１ｄが独自のアドレスに一致する場合にのみ受信し、他のアドレスが入力された場合はすべて削除するよう制御する。
【０１２６】
上記構成により設定記憶手段１２は、各電気機器１ａから１ｄの設定状態を記憶でき、設定送信手段１３で各電気機器１ａから１ｄへの設定データを送信することができる。
【０１２７】
このように本発明の第６実施例の電力管理装置によれば、停電等の供給電源が不安定、休止あるいは停止した際に各電気機器の設定状態を一時的に記憶し、供給電源が復帰した際には再設定することで使用者の再設定の手間を省くことができる。
【０１２８】
なお、送受信するデータのチェックとして、パリティチェックとしたが、複数回に渡って同データを送受信する等他のチェック方法であっても、同様の効果があることは自明の理である。
【０１２９】
また、電気機器は４個を例としたが、任意の個数の電気機器であっても同様の効果が得られることは自明の理である。
【０１３０】
さらに、電力検知手段は５個を例としたが、複数個の個数であれば、同様の効果があることは自明の理である。
【０１３１】
また、電源条件は、定格値の１０パーセント以下の誤差範囲としたが、電気機器の安定性を考慮して、より低い誤差範囲としても同様の効果があることは自明の理である。
【０１３２】
さらに、分配配電ブレーカーの出力端子は４個を例としたが、複数個の個数であれば、同様の効果があることは自明の理である。
【０１３３】
（実施例７）
以下、本発明の第７実施例（実施例５に対応）について、図２７及び図２８を参照しながら説明する。
【０１３４】
なお、第１から第６実施例と同一部分には同一番号を付し、その詳細な説明は省略する。
【０１３５】
図２７に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、電気機器１ａから１ｄのいずれかの追加の可否を判定し、電気機器１ａから１ｄの設定状態を記憶、送信制御する配電コントロール手段９ｅと、設定記憶手段１２と、設定送信手段１３により構成する。
【０１３６】
配電コントロール手段９ｅの制御フローチャートを図２８に示す。
【０１３７】
図に示すように、配電コントロール手段９ｅは、契約電力入力手段４により許容できる最大消費量を契約電力として入力する。次に、現時点の系統に接続されている電気機器１ａから１ｄのいずれかの消費量の総和を全体消費量として入力する。契約電力から全体消費を差し引いてどの程度余裕があるかを演算する。また、追加する電気機器１ａから１ｄのいずれかの消費量を追加機器消費量として入力する。さらに、電気機器１ａから１ｄのいずれかを追加しようとしている配電系統の消費電力量を配電線供給可能電力として検知入力する。さらに、追加される電気機器１ａから１ｄのいずれかの機器消費量と、供給可能電力を比較して、供給可能電力が大きい場合は、問題なく接続する。供給可能電力が小さい場合は、接続不可として判定する。使用者の接続変更により使用を強制的にした場合、電源を遮断された電気機器1ａから１ｄのいずれかを判定する。さらに電源を遮断された電気機器１ａから１ｄのいずれかの設定状態を設定記憶手段１２により記憶する。また電源復帰時には、設定送信手段１３により電気機器１ａから１ｄのいずれかへ設定状態を送信することになる。
【０１３８】
上記構成により、新たに電気機器１ａから１ｄのいずれかを接続し、事前に接続されていた電気機器１ａから１ｄのいずれかが電源供給を遮断された場合においても、事前に接続されていた電気機器１ａから１ｄのいずれかの設定状態を記憶することができ、再接続された時に設定状態を再送信することで設定状態を保持することができる。
【０１３９】
このように本発明の第７実施例の電力管理装置によれば、最適合成した結果電源供給が遮断されたにおいても各電気機器の設定状態を記憶、再送信することができ、使用者の再設定の手間を省くことができる。
【０１４０】
なお、電気機器は４個を例としたが、任意の個数の電気機器であっても同様の効果が得られることは自明の理である。
【０１４１】
また、電力検知手段は５個を例としたが、複数個の個数であれば、同様の効果があることは自明の理である。
【０１４２】
さらに、分配配電ブレーカーの出力端子は４個を例としたが、複数個の個数であれば、同様の効果があることは自明の理である。
【０１４３】
（実施例８）
以下、本発明の第８実施例（実施例５に対応）について、図２９及び図３０を参照しながら説明する。
【０１４４】
なお、第１から第７実施例と同一部分には同一番号を付し、その詳細な説明は省略する。
【０１４５】
図２９に示すように、発電システムを電源とする電力管理装置は、系統配電ブレーカー２と、分配配電ブレーカー３と、電力計５ａから５ｅと、配電線電力設定手段６と、最大消費入力手段７と、追加判定手段８と、発電電力から制御し、設定状態を記憶、送信制御する配電コントロール手段９ｆと、電源遮断される電気機器２の設定状態を記憶する設定記憶手段１２と、電源復帰時に電気機器へ設定状態を送信する設定送信手段１３により構成する。
【０１４６】
配電コントロール手段９ｆの制御フローチャートを図３０に示す。
【０１４７】
図に示すように、まず配電コントロール手段９ｆは、発電電力すなわち許容できる最大消費量を入力する。また、負荷状態として全体消費量を入力する。次に、追加供給可能な電力として全体消費量と発電電力の差分値を演算する。さらに、追加しようとしている電気機器１ａから１ｄのいずれかの消費量を入力する。機器消費量と、供給可能電力とを比較して、機器消費量が大きい場合、接続不可能と判定し、さらにユーザーが接続不可能のため設定変更を行ったか否かを判定する。ユーザーが設定変更を行わなければ、接続不可能状態にて処理を終了する。ユーザーが設定変更を行い、電気機器１ａから１ｄのいずれかの追加が可能となった場合は設定変更を行った電気機器１ａから１ｄのいずれかの設定状態を設定記憶手段１２により記憶し、電源復帰時に設定送信手段１３により電気機器１ａから１ｄのいずれかへ設定状態を送信することになる。
【０１４８】
上記構成により発電機からの電源供給で、最適な電源供給を行った結果、電力供給を遮断された場合であっても、電気機器１ａから１ｄのいずれかの設定状態は記憶することができ、再接続された時に設定状態を再送信することで設定状態を保持することができる。
【０１４９】
このように本発明の第８実施例の電力管理装置によれば、発電機の故障、休止、停止等の電源供給が遮断された場合、電気機器の再設定の手間を省くことができる。
【０１５０】
なお、電気機器は４個を例としたが、任意の個数の電気機器であっても同様の効果が得られることは自明の理である。
【０１５１】
また、電力検知手段は５個を例としたが、複数個の個数であれば、同様の効果があることは自明の理である。
【０１５２】
さらに、分配配電ブレーカーの出力端子は４個を例としたが、複数個の個数であれば、同様の効果があることは自明の理である。
【０１５３】
（実施例９）
以下、本発明の第９実施例（実施例５に対応）について、図３１を参照しながら説明する。
【０１５４】
なお、第１から第８実施例と同一部分には同一番号を付し、その詳細な説明は省略する。
【０１５５】
図３１に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、負荷予測手段１０と、配電コントロール手段９ｅと、設定記憶手段１２と、設定送信手段１３により構成する。
【０１５６】
上記構成により、電力供給側が不安定となり得る場合には、事前に電気機器１ａから１ｄのいずれかの設定状態を記憶し、電力供給側が再び安定状態となった場合に電気機器１ａから１ｄに設定状態を送信することで、電気機器１ａから１ｄの設定状態が管理できる。
【０１５７】
このように本発明の第９実施例の電力管理装置によれば、電源状態が不安定となり得る場合において、事前に設定状態を管理することができる。
【０１５８】
なお、電気機器は４個を例としたが、任意の個数の電気機器であっても同様の効果が得られることは自明の理である。
【０１５９】
また、電力検知手段は５個を例としたが、複数個の個数であれば、同様の効果があることは自明の理である。
【０１６０】
さらに、分配配電ブレーカーの出力端子は４個を例としたが、複数個の個数であれば、同様の効果があることは自明の理である。
【０１６１】
（実施例１０）
以下、本発明の第１０実施例（実施例５に対応）について、図３２及び図３３を参照しながら説明する。
【０１６２】
なお、第１から第９実施例と同一部分には同一番号を付し、その詳細な説明は省略する。
【０１６３】
図３２に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、設定された優先順位に従って配電制御、電気機器１ａから１ｄの設定状態を記憶、送信する配電コントロール手段９ｇと、設定記憶手段１２と、設定送信手段１３により構成する。
【０１６４】
配電コントロール手段９ｇの制御フローチャートについて、図３３に示す。
【０１６５】
配電線が図３２に示すように４本あり、優先順位が電気機器１ａ、１ｂ、１ｃ、１ｄの順で高い場合を一例として説明する。図に示すように、配電コントロール手段９ｇは、優先順位の高い電気機器１ａから１ｄのいずれかを選択する。優先順位１位の配電線に例えば選択した冷蔵庫等常時通電の必要な電気機器１ａから１ｄのいずれかを接続する。そこで優先順位１位の配電線に電力を供給する分配配電ブレーカー３は固定とし、分配配電ブレーカー３の切り替えによるノイズを発生しにくいようにし、電源の安定性を向上する。さらに、消費量が契約電力すなわち供給可能電力を超過し、電気機器１ａから１ｄのいずれかへの電力供給を遮断する場合は、遮断する電気機器１ａから１ｄのいずれかを優先順位の高い機器から順に設定状態を記憶するように設定記憶手段１２を制御し、電源供給が再び安定となった場合に遮断された電気機器１ａから１ｄいずれかへ設定状態を送信する場合、優先順位の順に送信するように設定送信手段１３を制御する。この設定記憶手段１２に電気機器１ａから１ｄのいずれかから送信する情報は、優先順位ランク、各電気機器１ａから１ｄのいずれかのアドレス、及び設定状態である。
【０１６６】
上記構成により、電源遮断後の復帰時において、例えばビデオ、パソコン等のような復帰時に優先順位が高いと判断された電気機器１ａから１ｄのいずれかに対して、他の設定記憶手段１２を有する電気機器１ａから１ｄのいずれか他方よりも迅速に立ち上げをすることができる。
【０１６７】
このように本発明の第１０実施例の電力管理装置によれば、電気機器の優先順位に従って電源復帰時の設定送信順位制御ができ、迅速な再設定を可能とすることができる。
【０１６８】
なお、電気機器は４個を例としたが、任意の個数の電気機器であっても同様の効果が得られることは自明の理である。
【０１６９】
また、電力検知手段は５個を例としたが、複数個の個数であれば、同様の効果があることは自明の理である。
【０１７０】
さらに、分配配電ブレーカーの出力端子は４個を例としたが、複数個の個数であれば、同様の効果があることは自明の理である。
【０１７１】
（実施例１１）
以下、本発明の第１１実施例（実施例６に対応）について、図３４及び図３５を参照しながら説明する。
【０１７２】
図３４に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、配電コントロール手段９ａと、給電側の節電の必要性を判定する節電判定手段１４により構成する。
【０１７３】
節電判定手段１４の判定フローチャートについて、図３５を参照しながら説明する。
【０１７４】
図に示すように、節電判定手段１４は、給電側からの給電電圧、電流を入力する。次に、節電判定手段１４は、使用電力を契約電力で割ることで負荷率を算出する。さらに追加しようとする電気機器１ａから１ｄのいずれかの消費量を入力する。追加しようとする電気機器１ａから１ｄのいずれかの消費量と負荷率から余裕率を算出する。余裕率が低い場合は節電表示を行い、警告する。余裕率が高い場合は、追加する電気機器１ａから１ｄのいずれかが接続されている配電線の許容量と追加時の電力量とを比較し、追加後の電力量が大きい場合は節電表示を行い警告する。
【０１７５】
上記構成により消費電力量が多く、節電を要する場合に表示、警告することができる。
【０１７６】
このように本発明の第１１実施例の電力管理装置によれば、使用者に電気機器の安定した電源供給をするための節電要求を表示、警告することができる。
【０１７７】
なお、電気機器は４個を例としたが、任意の個数の電気機器であっても同様の効果が得られることは自明の理である。
【０１７８】
また、電力検知手段は５個を例としたが、複数個の個数であれば、同様の効果があることは自明の理である。
【０１７９】
さらに、分配配電ブレーカーの出力端子は４個を例としたが、複数個の個数であれば、同様の効果があることは自明の理である。
【０１８０】
（実施例１２）
以下、本発明の第１２実施例（実施例６に対応）について、図３６を参照しながら説明する。
【０１８１】
図３６に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、配電コントロール手段９ｄと、負荷予測手段１０と、節電判定手段１４により構成する。
【０１８２】
上記構成により、あらかじめ節電判定手段１４で節電の必要性が発生する可能性があると判定された場合、節電必要性を表示、警告することができ、新たに電気機器１ａから１ｄのいずれかが運転状態となった場合においても、迅速な対応ができる。
【０１８３】
このように本発明の第１２実施例の電力管理装置によれば、あらかじめ電気機器の使用状態が密になると予測された場合、節電の必要性を表示、警告することができる。
【０１８４】
なお、電気機器は４個を例としたが、任意の個数の電気機器であっても同様の効果が得られることは自明の理である。
【０１８５】
また、電力検知手段は５個を例としたが、複数個の個数であれば、同様の効果があることは自明の理である。
【０１８６】
さらに、分配配電ブレーカーの出力端子は４個を例としたが、複数個の個数であれば、同様の効果があることは自明の理である。
【０１８７】
（実施例１３）
以下、本発明の第１３実施例（実施例６に対応）について、図３７を参照しながら説明する。
【０１８８】
図３７に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、配電コントロール手段９ｃと、節電判定手段１４により構成する。
【０１８９】
上記構成により節電判定手段１４は、優先順位に従って節電表示、電源の入り切り、あるいは設定変更を行えるように表示することができる。
【０１９０】
このように本発明の第１３実施例の電力管理装置によれば、電気機器の優先順位に従って節電の必要性表示、電源の遮断、あるいは設定変更ができ、使用者の手を煩わせることなく、自動で節電することができる。
【０１９１】
なお、電気機器は４個を例としたが、任意の個数の電気機器であっても同様の効果が得られることは自明の理である。
【０１９２】
また、電力検知手段は５個を例としたが、複数個の個数であれば、同様の効果があることは自明の理である。
【０１９３】
さらに、分配配電ブレーカーの出力端子は４個を例としたが、複数個の個数であれば、同様の効果があることは自明の理である。
【０１９４】
（実施例１４）
以下、本発明の第１４実施例（実施例５に対応）について、図３８を参照しながら説明する。
【０１９５】
図３８に示すように、電力管理装置は、系統配電ブレーカー２と、分配配電ブレーカー３と、契約電力入力手段４と、電力検知手段５と、配電線電力設定手段６と、最大消費入力手段７と、追加判定手段８と、配電コントロール手段９ｃと、表示手段１１と、設定記憶手段１２と、設定送信手段１３と、節電判定手段１４により構成する。電力計５ａから５ｅにより得られた電力の過不足結果から、電力が不足している場合、節電の実施を余儀なくされるが、その際の節電に対応する電気機器１ａから１ｄのいずれか選択、設定条件を節電判定手段１４により行う。節電判定手段１４は、各電気機器１ａから１ｄの使用電力量をあらかじめ記憶した消費電力量により、設定変更した場合、あるいは電源遮断した場合の節電効果を認識する。認識した結果から、節電要求に対応でき得る電気機器１ａから１ｄのいずれかの選択を判定し、設定変更、あるいは電源遮断する。
【０１９６】
上記構成により節電判定手段１４は、送電側の電力供給が不十分となった場合、節電要求に対応でき得る電気機器１ａから１ｄのいずれかを選択し、設定変更、あるいは電源遮断することができる。
【０１９７】
このように本発明の第１４実施例の電力管理装置によれば、電気機器の優先順位に従って節電の必要性表示、電源の遮断、あるいは設定変更ができ、使用者の手を煩わせることなく、自動で節電することができる。
【０１９８】
（実施例１５）
以下、本発明の第１５実施例（実施例５に対応）について、図３９及び図４０を参照しながら説明する。
【０１９９】
図３９に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、節電判定手段１４と、電気機器１ａから１ｄのいずれかの追加の可否判定から最適に合成し、節電判定手段１４による節電から再度最適に合成する配電コントロール手段９ｈと、設定記憶手段１２と、設定送信手段１３により構成する。
【０２００】
配電コントロール手段９ｈの制御フローチャートを図４０に示す。
【０２０１】
図に示すように、配電コントロール手段９ｈは、契約電力入力手段４により契約電力、すなわち許容できる最大消費量を入力する。次に、全体の消費電力が契約電力と比較してどの程度余裕があるかを判定する。さらに、電気機器１ａから１ｄのいずれかを追加しようとしている配電系統の消費電力量と、配電線の供給可能電力を検知入力し、追加が可能かどうかを判定する。追加が可能であれば、電気機器１ａから１ｄのいずれかは使用可能となるが、追加不可能であれば追加された電気機器１ａから１ｄのいずれかは電源供給されず、使用不可能となる。追加の際に節電判定手段１４は、使用している電気機器１ａから１ｄのいずれかの設定状態を変更することで追加が可能かどうかを判定する。既に使用している電気機器１ａから１ｄのいずれかの設定状態の変更で追加が可能であれば、節電プランを表示し、設定状態変更のみで追加不可能であれば、追加不可能と判断し、消費オーバーを表示、警告する。使用者が設定状態を変更することで追加可能とした場合、設定変更した電気機器１ａから１ｄのいずれかは、設定記憶手段１２により変更前の設定状態を記憶し、電源復帰時に設定送信手段１３により電気機器１ａから１ｄのいずれかへ変更前の設定状態を送信し、設定状態を復帰することになる。
【０２０２】
上記構成により、新たに電気機器１ａから１ｄのいずれかを接続する場合で、事前に接続されていた電気機器１ａから１ｄのいずれかの設定変更を余儀なくされた場合においても、事前に接続されていた電気機器１ａから１ｄのいずれかの設定状態を記憶し、必要電力の使用が可能となった場合は変更前の設定状態を再送信し、復帰することができる。
【０２０３】
このように本発明の第１５実施例の電力管理装置によれば、最適合成した結果電源供給条件により一部設定変更した電気機器の設定状態を記憶、設定変更することで電気機器の追加運転が可能となり、設定変更した電気機器の変更前の設定条件で運転可能な電力使用が可能となった時に、変更前の設定状態を再送信することで、使用者の再設定の手間を省くことができる。
【０２０４】
なお、電気機器は４個を例としたが、任意の個数の電気機器であっても同様の効果が得られることは自明の理である。
【０２０５】
また、電力検知手段は５個を例としたが、複数個の個数であれば、同様の効果があることは自明の理である。
【０２０６】
さらに、分配配電ブレーカーの出力端子は４個を例としたが、複数個の個数であれば、同様の効果があることは自明の理である。
【０２０７】
（実施例１６）
以下、本発明の第１６実施例（実施例６に対応）について、図４１及び図４２を参照しながら説明する。
【０２０８】
図４１に示すように、電力管理装置は、系統配電ブレーカー２と、分配配電ブレーカー３と、電力計５ａから５ｅと、配電線電力設定手段６と、最大消費入力手段７と、追加判定手段８と、配電コントロール手段９ｉと、設定記憶手段１２と、設定送信手段１３と、節電判定手段１４により構成する。
【０２０９】
配電コントロール手段９ｉの制御フローチャートを図４２に示す。
【０２１０】
図に示すように、配電コントロール手段９ｉは、電力計５ａにより発電電力、すなわち許容できる最大消費量を入力する。次に、全体の消費電力が発電電力と比較してどの程度余裕があるかを判定する。さらに、電気機器１ａから１ｄのいずれかを追加しようとしている配電系統の消費電力量と、配電線の供給可能電力を検知入力し、追加が可能かどうかを判定する。追加が可能であれば、電気機器１ａから１ｄのいずれかは使用可能となるが、追加不可能であれば、電気機器１ａから１ｄのいずれかには電源供給されず、使用不可能となる。使用不可能となることを回避するため、追加の際に配電コントロール手段９ｉと節電判定手段１４は、使用している電気機器１ａから１ｄのいずれかの設定状態を変更することで追加が可能かどうかを判定する。既に使用している電気機器１ａから１ｄのいずれかの設定状態の変更で追加が可能であれば、節電プランを表示し、設定状態変更のみで追加不可能であれば、追加不可能と判断し、消費電力オーバーを表示、警告する。さらに、追加により設定状態を変更した電気機器１ａから１ｄのいずれかは、設定記憶手段１２により変更前の設定状態を記憶し、電源復帰時に設定送信手段１３により電気機器１ａから１ｄのいずれかへ変更前の設定状態を送信し、設定状態を復帰することになる。
【０２１１】
上記構成により発電機からの電源供給で、最適な電源供給を行った結果、その時点で全ての電気機器に電力供給が不可能と判断された場合に、電気機器の設定変更をすることで電気機器への電力供給を遮断することを無くすることができる。さらに、電力供給が不十分により、設定変更を余儀なくされた電気機器の変更前の設定状態は、設定記憶手段により記憶することができ、十分な電力供給が可能となった際に変更前の設定状態を再送信することで設定状態を保持することができる。
【０２１２】
このように本発明の第１６実施例の電力管理装置によれば、発電機の発電電力が不足した場合、電気機器の再設定の手間を省くことができる。
【０２１３】
なお、電気機器は４個を例としたが、任意の個数の電気機器であっても同様の効果が得られることは自明の理である。
【０２１４】
また、電力検知手段は５個を例としたが、複数個の個数であれば、同様の効果があることは自明の理である。
【０２１５】
さらに、分配配電ブレーカーの出力端子は４個を例としたが、複数個の個数であれば、同様の効果があることは自明の理である。
【０２１６】
（実施例１７）
以下、本発明の第１７実施例（実施例６に対応）について、図４３及び図４４を参照しながら説明する。
【０２１７】
図４３に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、節電判定手段１４と、電気機器１ａから１ｄのいずれかの追加可否判定により配電状態を最適に合成し、節電判定手段１４により、節電の必要性があると判定された電気機器１ａから１ｄのいずれかの設定状態を変更し、設定変更後の消費電力にて、再度配電状態を最適に合成する配電コントロール手段９ｊと、設定記憶手段１２と、設定送信手段１３により構成する。
【０２１８】
次に配電コントロール手段９ｊの制御フローチャートについて図４４を参照しながら説明する。まず契約電力入力手段４により契約電力すなわち消費可能最大電力を検知する。次に系統全体の消費量を入力し、契約電力と、系統消費量から余裕を演算する。また、追加される配電線の追加供給可能電力を入力する。そこで追加供給可能な余裕と、追加する電気機器１ａから１ｄのいずれかの電力量を比較し、余裕が大きければ追加する。追加不可能と判定された場合は、配電端子３ｋから３ｎに接続されていた配電スイッチ３ａから３ｊを最適合成する。最適合成した結果、追加が可能となれば電気機器１ａから１ｄのいずれかを追加する。さらに追加が不可能であれば、既に接続されている電気機器１ａから１ｄのいずれかの設定状態を設定記憶手段１２で記憶し、電気機器１ａから１ｄのいずれかの設定状態を変更する。設定を変更後、電気機器１ａから１ｄへの配電スイッチ３ａから３ｊを最適に合成する。最適合成した結果、配電スイッチ３ａから３ｊのいずれかが未使用状態となれば、未使用状態となった配電スイッチ３ａから３ｊのいずれかは、追加する電気機器１ａから１ｄのいずれかに接続し、追加する。
【０２１９】
上記構成により、電力消費側に新たに負荷が接続された場合、追加の際に配電ブレーカーの最適な合成を節電必要性のある電気機器の設定変更後に再編することが可能となり、再編による電気機器の追加運転が不可能な場合にのみ、設定状態を記憶、再送信することができる。
【０２２０】
このように本発明の第１７実施例の電力管理装置によれば、電源状態が不安定となり得る場合において、節電必要性のある電気機器の設定変更後に再度最適な配電ブレーカーの合成により追加運転の可能性を向上することができる。
【０２２１】
なお、電気機器は４個を例としたが、任意の個数の電気機器であっても同様の効果が得られることは自明の理である。
【０２２２】
また、電力検知手段は５個を例としたが、複数個の個数であれば、同様の効果があることは自明の理である。
【０２２３】
さらに、分配配電ブレーカーの出力端子は４個を例としたが、複数個の個数であれば、同様の効果があることは自明の理である。
【０２２４】
（実施例１８）
以下、本発明の第１８実施例（実施例６に対応）について、図４５及び図４６を参照しながら説明する。
【０２２５】
図４５に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、設定記憶手段１２と、設定送信手段１３と、節電判定手段１４と、節電判定から優先順位に従って分配配電ブレーカー３の切り替え、あるいは固定、さらに設定状態の変更、あるいは電源遮断を行い、遮断する電気機器１ａから１ｄのいずれかの設定状態を設定記憶手段１２で記憶するように制御し、さらに電源復帰時に設定送信手段１３により電源遮断した電気機器１ａから１ｄのいずれかに設定状態を送信するように制御する配電コントロール手段９ｋにより構成する。
【０２２６】
配電コントロール手段９ｋの制御フローチャートを図４６を参照しながら説明する。
【０２２７】
配電コントロール手段９ｋは、電気機器１ａから１ｄのいずれかを追加する場合、まず契約電力すなわち使用可能な最大電力を検知入力する。次に、追加前の系統全体の消費電力を検知する。使用可能な最大電力と追加前の系統全体の消費電力を比較して、追加可能な供給電力すなわち余裕を演算する。次に追加される配電線の追加前の消費電力と、追加される配電線の供給可能電力とを比較して配電線の追加可能な供給電力を演算する。演算した系統全体の追加可能電力、配電線の追加可能電力と追加する電気機器１ａから１ｄのいずれかの消費電力を比較して、追加が可能か否かを判定する。この結果、追加が可能と判定されれば、電気機器１ａから１ｄのいずれかを追加できるが、追加不可能と判定されれば、節電判定手段１４により既に電源供給されている電気機器１ａから１ｄのいずれかに接続されている配電スイッチ３ａから３ｊのいずれかを優先順位に従って切り替える。切り替えた結果、配電スイッチ３ａから３ｊのいずれかが未使用状態となれば、その未使用状態となった配電スイッチ３ａから３ｊのいずれかを追加する電気機器１ａから１ｄのいずれかに接続する。この配電スイッチ３ａから３ｊの切り替えにおいても電気機器１ａから１ｄのいずれかの追加が不可能となれば、優先順位の低い電気機器１ａから１ｄのいずれかの設定状態を変更する。優先順位の低い電気機器１ａから１ｄのいずれかの設定変更のみで電気機器１ａから１ｄのいずれかの追加が不可能となれば、優先順位の低い電気機器１ａから１ｄのいずれかの設定状態を設定記憶手段１２で設定記憶し、電源遮断する。この電源遮断により未使用状態となった配電スイッチ３ａから３ｊのいずれかを追加する電気機器１ａから１ｄのいずれかに接続する。さらに電源復帰時には、電源遮断されていた電気機器１ａから１ｄのいずれかの設定状態を設定送信手段１３により送信し、設定状態についても復帰する。この設定記憶手段１２に電気機器１ａから１ｄのいずれかから送信する情報は、優先順位ランク、各電気機器１ａから１ｄのいずれかのアドレス、及び設定状態である。
【０２２８】
上記構成により、負荷側の消費電力が契約電力以上となった場合、優先順位の低い電気機器の設定変更による節電力化を第一対策とし、更なる節電が必要な場合は、優先順位の低い電気機器から設定状態を記憶、電源を遮断し、運転を継続した電気機器が停止することで契約電力に対して余裕ができた際に設定状態を変更前に戻すことができる。
【０２２９】
このように本発明の第１８実施例の電力管理装置によれば、電気機器の優先順位に従って設定変更、電源遮断、あるいは設定状態の一時的な記憶ができ、さらに他の電気機器の消費電力が下がった際に、迅速な再設定を可能とすることができる。
【０２３０】
なお、電気機器は４個を例としたが、任意の個数の電気機器であっても同様の効果が得られることは自明の理である。
【０２３１】
また、電力検知手段は５個を例としたが、複数個の個数であれば、同様の効果があることは自明の理である。
【０２３２】
さらに、分配配電ブレーカーの出力端子は４個を例としたが、複数個の個数であれば、同様の効果があることは自明の理である。
【０２３３】
（実施例１９）
以下、本発明の第１９実施例（実施例７に対応）について、図４７及び図４８を参照しながら説明する。
【０２３４】
図４７に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、各電気機器の電力を調整する電力調整手段１５としての電力調整手段１５ａから１５ｄと、電気機器１ａから１ｄのいずれか追加の可否から分配配電ブレーカー３の最適合成、及び電力調整手段１５ａから１５ｄを制御する配電コントロール手段９ｌにより構成する。
【０２３５】
配電コントロール手段９ｌの制御フローチャートを図４８に示す。
【０２３６】
図に示すように、配電コントロール手段９ｌは、契約電力入力手段４により契約電力、すなわち許容できる最大消費量を契約電力として入力する。次に、全体の消費電力が契約電力と比較して、どの程度余裕があるかの余裕度を演算し判定する。さらに、電気機器１ａから１ｄのいずれかを追加しようとしている配電系統の消費電力量と、配電線の供給可能電力を検知入力し、追加が可能かどうかを追加判定手段８により判定する。追加が可能であれば、電気機器１ａから１ｄのいずれかは使用可能となるが、追加不可能であれば、電力調整手段１５ａから１５ｄのいずれかにより既に電源供給されている電気機器１ａから１ｄのいずれかへの供給電力を調整する。
【０２３７】
次に追加運転が不可能と判定された場合の電力調整手段１５ａから１５ｄの動作について説明する。電力調整手段１５ａから１５ｄは、インバータを有しない照明等のような入力電圧を下げると、消費電力量を下げることができる電気機器１ａから１ｄのいずれかを対象に有効に作用する。負荷に負荷電流の二乗に比例して消費電力は上下するため、負荷が抵抗負荷等のような負荷電流が入力電圧に依存する場合は、電圧を下げることで節電が可能となる。電力調整手段１５ａから１５ｄは、前記した抵抗負荷等の供給電圧を下げるものであり、その具体的構成は代表的な電力用のコンバータとインバータの組み合わせであって、公知の技術であるため詳細な説明は省略する。
【０２３８】
上記構成により、供給側の電力を最適に分配し、かつ最適な分配から電力調整手段による降圧で節電力化を行うことができる。
【０２３９】
このように本発明の第１９実施例の電力管理装置によれば、電力の最適な分配と、降圧による節電力化が自動で行うことができる。
【０２４０】
なお、電気機器は４個を例としたが、任意の個数の電気機器であっても同様の効果が得られることは自明の理である。
【０２４１】
また、電力調整手段は４個を例としたが、複数個の個数であれば、同様の効果があることは自明の理である。
【０２４２】
さらに、電力検知手段は５個を例としたが、複数個の個数であれば、同様の効果があることは自明の理である。
【０２４３】
さらに、分配配電ブレーカーの出力端子は４個を例としたが、複数個の個数であれば、同様の効果があることは自明の理である。
【０２４４】
（実施例２０）
以下、本発明の第２０実施例（実施例７に対応）について、図４９及び図５０を参照しながら説明する。
【０２４５】
図４９に示すように、電力管理装置は、系統配電ブレーカー２と、分配配電ブレーカー３と、電力計５ａから５ｅと、配電線電力設定手段６と、最大消費入力手段７と、追加判定手段８と、電力調整手段１５ａから１５ｄと、発電電力から電力調整手段１５ａから１５ｄを制御する配電コントロール手段９ｍにより構成する。
【０２４６】
配電コントロール手段９ｍについて図５０を参照しながら説明する。
【０２４７】
図に示すように、まず配電コントロール手段９ｍは、発電電力すなわち許容できる最大消費量を入力する。次に、全体の消費電力が発電電力と比較して、どの程度余裕があるかの余裕度を演算し判定する。さらに、電気機器１ａから１ｄのいずれかを追加しようとしている配電系統の消費電力量と、配電線の供給可能電力を検知入力し、追加が可能かどうかを判定する。追加が可能であれば、電気機器１ａから１ｄのいずれかは使用可能となるが、追加不可能であれば、電力調整手段１５ａから１５ｄにより電気機器１ａから１ｄに供給する電力を調整する。
【０２４８】
上記構成により、発電機の発電電力に合わせた最適な電気機器１ａから１ｄへの送電ができる。
【０２４９】
このように本発明の第２０実施例の電力管理装置によれば、発電機の発電電力以上の負荷側消費になると、各電気機器１ａから１ｄへ送電する電力を過不足ない電圧に調整することができる。
【０２５０】
なお、電気機器は４個を例としたが、任意の個数の電気機器であっても同様の効果が得られることは自明の理である。
【０２５１】
また、電力調整手段は４個を例としたが、複数個の個数であれば、同様の効果があることは自明の理である。
【０２５２】
さらに、電力検知手段は５個を例としたが、複数個の個数であれば、同様の効果があることは自明の理である。
【０２５３】
さらに、分配配電ブレーカーの出力端子は４個を例としたが、複数個の個数であれば、同様の効果があることは自明の理である。
【０２５４】
（実施例２１）
以下、本発明の第２１実施例（実施例７に対応）について、図５１及び図５２を参照しながら説明する。
【０２５５】
図５１に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、負荷予測手段１０と、電力調整手段１５ａから１５ｄと、送電側の供給電力状態と負荷予測結果から電力調整手段１５ａから１５ｄを制御する配電コントロール手段９ｎにより構成する。
【０２５６】
配電コントロール手段９ｎについて図５２を参照しながら説明する。
【０２５７】
図に示すように、配電コントロール手段９ｎは、電気機器１ａから１ｄのいずれかを追加する場合、使用可能な最大電力を検知し、契約電力を入力する。次に、系統全体の消費電力を検知し、追加可能電力を演算する。次に追加される配電線の消費電力と、追加される配電線の供給可能電力を入力し、それぞれを比較して配電線の追加供給可能電力を演算する。次に、負荷予測手段１０による負荷予測結果から消費電力を予測し、予測した消費電力から分配配電ブレーカー３の配電スイッチ３ａから３ｊを最適合成する。最適合成した結果、追加する電気機器１ａから１ｄのいずれかの最大消費電力と、系統全体の余裕、配電線の余裕と比較して追加が可能か否かを判定する。追加が不可能であれば、電力調整手段１５ａから１５ｄにより、電気機器１ａから１ｄに供給する電力を調整する。
【０２５８】
上記構成により、あらかじめ分配配電ブレーカー３を最適な配電状態とし、電力調整手段１５ａから１５ｄにより電力を最小化するため、新たに電気機器２が運転状態となった場合においても、電気機器の使用制限を極力抑え、さらに迅速な対応ができる。
【０２５９】
このように本発明の第２１実施例の電力管理装置によれば、配電系統に新たに電気機器が接続された時に、消費電力量を最小限に抑えることで、電気機器の使用制限を極力抑えることができ、迅速な対応ができる。
【０２６０】
なお、電気機器は４個を例としたが、任意の個数の電気機器であっても同様の効果が得られることは自明の理である。
【０２６１】
また、電力調整手段は４個を例としたが、複数個の個数であれば、同様の効果があることは自明の理である。
【０２６２】
さらに、電力検知手段は５個を例としたが、複数個の個数であれば、同様の効果があることは自明の理である。
【０２６３】
さらに、分配配電ブレーカーの出力端子は４個を例としたが、複数個の個数であれば、同様の効果があることは自明の理である。
【０２６４】
（実施例２２）
以下、本発明の第２２実施例（実施例７に対応）について、図５３及び図５４を参照しながら説明する。
【０２６５】
図５３に示すように、電力管理装置は、系統配電ブレーカー２と、分配配電ブレーカー３と、契約電力入力手段４と、電力計５ａから５ｄと、配電線電力設定手段６と、最大消費入力手段７と、追加判定手段８と、電力調整手段１５ａから１５ｄと、設定記憶手段１２と、設定送信手段１３と、負荷予測手段１０と、追加の可否判定から分配配電ブレーカー３を最適合成制御、電力調整手段１５ａから１５ｄを制御、及び電力調整と電源遮断される電気機器１ａから１ｄのいずれかの設定状態を記憶する設定記憶手段１２の制御、電源復帰時に電気機器１ａから１ｄのいずれかの設定状態を送信する設定送信手段１３の制御を行なう配電コントロール手段９ｏにより構成する。
【０２６６】
配電コントロール手段９ｏの制御フローチャートを図５４に示す。
【０２６７】
図に示すように、配電コントロール手段９ｏは、契約電力入力手段４により使用可能な最大電力を検知し、契約電力を入力する。次に、全体の消費電力が契約電力と比較して追加可能電力を演算する。また、負荷予測手段１０による負荷予測から消費電力を予測する。負荷予測結果から配電スイッチ３ａから３ｊを最適合成する。さらに、電気機器１ａから１ｄのいずれかを追加しようとしている配電系統の消費電力量と、配電線の供給可能電力を検知入力し、追加が可能かどうかを判定する。追加が可能であれば、電気機器１ａから１ｄのいずれかは使用可能となるが、追加不可能であれば、電力調整手段１５ａから１５ｄのいずれかにより電気機器１ａから１ｄへ供給する電力を調整する。さらに使用不可能となる電気機器１ａから１ｄのいずれかは、設定記憶手段１２により設定状態を記憶し、電源復帰時に設定送信手段１３により電気機器１ａから１ｄのいずれかへ設定状態を送信する。
【０２６８】
上記構成により、新たに電気機器１ａから１ｄのいずれかを接続し、事前に接続されていた優先度の低い電気機器１ａから１ｄのいずれかの電力を調整することが可能となり、さらに電源供給を遮断された場合においても、事前に接続されていた電気機器１ａから１ｄのいずれかの設定状態を記憶することができ、再接続された時に設定状態を再送信することで設定状態を保持することができる。
【０２６９】
このように本発明の第２２実施例の電力管理装置によれば、最適合成し、さらに節電力化をすることで、電気機器の電源遮断頻度を下げ、電源供給が遮断された場合においても各電気機器の設定状態を記憶、再送信することができ、使用者の再設定の手間を省くことができる。
【０２７０】
なお、電気機器は４個を例としたが、任意の個数の電気機器であっても同様の効果が得られることは自明の理である。
【０２７１】
また、電力調整手段は４個を例としたが、複数個の個数であれば、同様の効果があることは自明の理である。
【０２７２】
さらに、電力検知手段は５個を例としたが、複数個の個数であれば、同様の効果があることは自明の理である。
【０２７３】
さらに、分配配電ブレーカーの出力端子は４個を例としたが、複数個の個数であれば、同様の効果があることは自明の理である。
【０２７４】
（実施例２３）
以下、本発明の第２３実施例（実施例７に対応）について、図５５及び図５６を参照しながら説明する。
【０２７５】
図５５に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、電気機器１ａから１ｄのいずれかの追加の可否から優先順位に従って、分配配電ブレーカー３の最適合成、電力調整手段１５ａから１５ｄの制御、設定記憶手段１２と設定送信手段１３を制御する配電コントロール手段９ｐにより構成する。
【０２７６】
配電コントロール手段９ｐについて、図５６を参照しながら説明する。
【０２７７】
図に示すように、配電コントロール手段９ｐは、契約電力入力手段４により使用可能な最大電力を検知し、契約電力を入力する。次に、全体の消費電力が契約電力と比較してどの程度余裕があるかを追加可能電力として演算する。さらに、電気機器１ａから１ｄのいずれかを追加しようとしている配電系統の消費電力量と、配電線の供給可能電力を検知入力する。また負荷予測手段１０による負荷予測から消費電力を予測し、配電スイッチ３ａから３ｊを最適合成する。最適合成した後、各配電線の余裕と、追加する電気機器１ａから１ｄのいずれかの消費電力を比較し、余裕が大きければ追加する。余裕が小さければ、優先順位に従って再度最適合成する。最適合成の後、余裕と追加する電気機器１ａから１ｄのいずれかの消費電力を比較して、余裕が大きければ追加するが、余裕が小さければ電力調整手段１５ａから１５ｄのいずれかにより優先順位の低い順に従って、電気機器１ａから１ｄのいずれかの電力を調整する。電力調整で電気機器１ａから１ｄのいずれかが追加可能となれば電力調整した電気機器１ａから１ｄのいずれかの設定状態を設定記憶手段１２により記憶し、さらに電気機器１ａから１ｄのいずれかの追加をするが、追加不可能と判定されれば、優先順位の低い電気機器１ａから１ｄのいずれかから電源遮断をする。さらに使用不可能となる電気機器１ａから１ｄのいずれかは、設定記憶手段１２により優先順位の高い順に設定状態を記憶し、電源復帰時に設定送信手段１３により優先順位の高い順に従って、電気機器１ａから１ｄのいずれかへ設定状態を送信する。
【０２７８】
上記構成により、電源調整あるいは遮断後の復帰時において、例えばビデオ、パソコン等のような復帰時に優先順位が高いと判断された電気機器１ａから１ｄのいずれかに対して、他の設定記憶手段を有する電気機器１ａから１ｄのいずれかよりも迅速に立ち上げをすることができ、インバータを有しない照明等の抵抗負荷は入力電圧を下げると消費電力を下げることができ、優先順位の低い電気機器１ａから１ｄのいずれかの機器から消費電力を下げることができる。
【０２７９】
このように本発明の第２３実施例の電力管理装置によれば、電気機器の優先順位に従って電気機器の節電運転ができ、優先順位の高い電気機器の電源の保護ができる。
【０２８０】
なお、電気機器は４個を例としたが、任意の個数の電気機器であっても同様の効果が得られることは自明の理である。
【０２８１】
また、電力調整手段は４個を例としたが、複数個の個数であれば、同様の効果があることは自明の理である。
【０２８２】
さらに、電力検知手段は５個を例としたが、複数個の個数であれば、同様の効果があることは自明の理である。
【０２８３】
さらに、分配配電ブレーカーの出力端子は４個を例としたが、複数個の個数であれば、同様の効果があることは自明の理である。
【０２８４】
（実施例２４）
以下、本発明の第２４実施例（実施例７に対応）について、図５７及び図５８を参照しながら説明する。
【０２８５】
図５７に示すように、電力管理装置は、系統配電ブレーカー２と、分配配電ブレーカー３と、契約電力入力手段４と、各電気機器１ａから１ｄへの供給電力を検知する電力計５ａから５ｅと、配電線電力設定手段６と、最大消費入力手段７と、追加判定手段８と、負荷予測手段１０と、節電判定手段１４と、電力調整手段１５ａから１５ｄと、設定記憶手段１２と、設定送信手段１３と、追加の可否により最適合成をし、電力調整手段１５ａから１５ｄのいずれかにより電力を調整し、さらに節電判定手段１４により、節電の必要性があると判定された電気機器１ａから１ｄのいずれかの設定状態を変更し、設定変更後の消費電力にて再度最適合成するようフィードバックを行い、分配配電ブレーカー３の組合せを再編し、また負荷予測結果から負荷の増大すなわち電源供給が不安定となる予測がされた場合に設定記憶手段１２に電気機器１ａから１ｄの設定状態を記憶させる配電コントロール手段９ｑにより構成する。
【０２８６】
配電コントロール手段９ｑの制御フローチャートを図５８を参照しながら説明する。
【０２８７】
図に示すように、配電コントロール手段９ｑは、契約電力入力手段４により使用可能な最大電力を検知し、契約電力を入力する。次に、全体の消費電力が契約電力と比較してどの程度余裕があるかを判定し追加可能電力を演算する。さらに、電気機器１ａから１ｄのいずれかを追加しようとしている配電系統の消費電力量と、配電線の供給可能電力を検知入力する。余裕と追加しようとしている電気機器１ａから１ｄのいずれかの電力を比較して余裕が大きい場合は、追加可能と判定する。余裕が小さく追加不可能であれば、電力調整手段１５ａから１５ｄのいずれかにより、電気機器１ａから１ｄのいずれかへの電力を調整する。電力調整で電気機器１ａから１ｄのいずれかが追加可能となれば、電力調整した電気機器１ａから１ｄのいずれかの設定状態を設定記憶手段１２により記憶し、さらに電気機器１ａから１ｄのいずれかの追加をするが、追加不可能と判定されれば、電気機器１ａから１ｄのいずれかの設定状態を変更し、節電力化を行い、再度最適合成を行う。さらに設定状態を変更した電気機器１ａから１ｄのいずれかは、設定記憶手段１２により設定状態を記憶し、電源復帰時に設定送信手段１３により、電気機器１ａから１ｄのいずれかへ設定状態を送信する。
【０２８８】
上記構成により、電力消費側に新たに負荷が接続された場合、追加の際に配電ブレーカーの最適な合成を節電必要性のある電気機器の設定変更後に再編し、さらに入力電源電圧調整による節電が可能な電気機器の電力調整をすることが可能となり、さらに再編による電気機器の追加運転が不可能な場合にのみ、設定状態を記憶、再送信することができる。
【０２８９】
このように本発明の第２４実施例の電力管理装置によれば、電源状態が不安定となり得る場合において、節電必要性のある電気機器の設定変更、電力調整後に再度最適な配電ブレーカーの合成により追加運転の可能性を向上することができる。
【０２９０】
なお、電気機器は４個を例としたが、任意の個数の電気機器であっても同様の効果が得られることは自明の理である。
【０２９１】
また、電力調整手段は４個を例としたが、複数個の個数であれば、同様の効果があることは自明の理である。
【０２９２】
さらに、電力検知手段は５個を例としたが、複数個の個数であれば、同様の効果があることは自明の理である。
【０２９３】
さらに、分配配電ブレーカーの出力端子は４個を例としたが、複数個の個数であれば、同様の効果があることは自明の理である。
【０２９４】
（実施例２５）
以下、本発明の第２５実施例（実施例８に対応）について、図５９から図６１を参照しながら説明する。
【０２９５】
図５９に示すように、電力管理装置は、系統配電ブレーカー２と、分配配電ブレーカー３と、契約電力入力手段４と、電力計５ａから５ｅと、配電線電力設定手段６と、最大消費入力手段７と、追加判定手段８と、外部と通信し、外部から設定状態を変更あるいは確認する外部通信手段１６としての外部通信手段１６ａと、追加の可否判定から分配配電ブレーカー３の組合せを変更し、最適に合成ができ、さらに外部通信手段１６ａからの外部信号を優先的に処理する配電コントロール手段９ｒにより構成する。
【０２９６】
外部通信手段１６ａの制御フローチャートを図６０に示す。
【０２９７】
図に示すように、外部通信手段１６ａは、電話回線を使用して電気機器１ａから１ｄの設定を行う。まず電源条件を入力し、さらに設定変更を行う電気機器１ａから１ｄのいずれかが配電状態にあるかを入力する。設定変更する電気機器１ａから１ｄのいずれかが配電状態にあれば、設定条件を番号入力し、配電状態でない場合は、最適合成を要求する。設定変更する電気機器１ａから１ｄのいずれかが配電状態でない場合についても、最適合成後は配電状態となっているため、設定条件を番号入力することで電気機器１ａから１ｄのいずれかの設定は配電コントロール手段９ｒに送信する。
【０２９８】
次に配電コントロール手段９ｒの制御フローチャートについて図６１を参照しながら説明する。
【０２９９】
図に示すように、外部通信手段１６ａから得られた電気機器１ａから１ｄのいずれかの設定情報は、アドレス情報より電気機器１ａから１ｄのどの機器を対象としているかを判定する。判定した電気機器１ａから１ｄのいずれかから設定状態を通信により条件入力する。次に外部通信手段１６ａから得られた設定状態と、現在設定されている設定状態を比較し、異なるかどうかを判定する。判定により同一であれば、通信を終了する。異なる設定であれば、配電コントロール手段９ｒから外部通信手段１６ａにより得られた設定状態を送信し、電気機器１ａから１ｄのいずれかの電気機器の設定を変更する。
【０３００】
上記構成により電気機器の外部からの電源制御、設定変更制御をすることができる。
【０３０１】
このように本発明の第２５実施例の電力管理装置によれば、外出先等から電気機器の制御をすることができる。
【０３０２】
なお、通信手段を電話を利用したものとしたが、無線等の他の手段であっても同様の効果があることは自明の理である。
【０３０３】
また、電気機器は４個を例としたが、任意の個数の電気機器であっても同様の効果が得られることは自明の理である。
【０３０４】
また、電力検知手段は５個を例としたが、複数個の個数であれば、同様の効果があることは自明の理である。
【０３０５】
さらに、分配配電ブレーカーの出力端子は４個を例としたが、複数個の個数であれば、同様の効果があることは自明の理である。
【０３０６】
（実施例２６）
以下、本発明の第２６実施例（実施例９に対応）について、図６２及び図６３を参照しながら説明する。
【０３０７】
図６２に示すように、電力管理装置は、系統配電ブレーカー２と、分配配電ブレーカー３と、契約電力入力手段４と、電力計５ａから５ｅと、配電線電力設定手段６と、最大消費入力手段７と、供給される電力を蓄電可能な電力に、及び供給される電力を蓄電可能な電力に変換する電力変換手段１７と、変換された電力を蓄電する蓄電手段１８と、系統のみ、あるいは系統と蓄電手段１８から供給される電力において電気機器１ａから１ｄの追加が可能かどうかを判定する追加判定手段８ｂと、追加の可否判定から電気機器１ａから１ｄへの配電設定を変更、最適に合成し、かつ系統かつまたは蓄電手段１８からの電力供給源を最適に合成制御する配電コントロール手段９ｓにより構成する。ここで蓄電手段１８とは、例えば鉛畜電池等である。
【０３０８】
次に追加判定手段８ｂの制御フローチャートについて、図６３を参照しながら説明する。
【０３０９】
図に示すように追加判定手段８ｂは、契約電力入力手段４により契約電力を入力し、追加可能な電力を演算する。次に追加する配電線の消費電力を入力し、配電線の供給可能電力を入力する。また、負荷予測手段１０による負荷予測結果から消費電力を予測し、配電スイッチ３ａから３ｊを最適合成する。最適合成した後、追加可能な電力すなわち余裕と追加する電気機器１ａから１ｄのいずれかの消費電力を比較する。余裕が大きい場合は追加可能と判定するが、余裕が小さい場合は、追加により分配配電ブレーカー３の容量を超過しないかを判定する。判定した結果、容量を超過する場合は、追加不可と判定し、容量を超過しない場合は蓄電電力と系統電力の合計を算出し、合計の電力と追加前の系統消費量との余裕を演算する。余裕が追加する電気機器１ａから１ｄのいずれかの消費電力より小さい場合は、追加不可能と判定する。余裕が大きい場合は、蓄電電力と系統から電力を供給するよう制御する。
【０３１０】
次に配電コントロール手段９ｓは、追加判定手段８ｂにより判定される追加の可、不可により、蓄電手段１８の充放電制御、分配配電ブレーカー３の制御を行うことになる。
【０３１１】
上記構成により系統電源と、蓄電手段を利用した補助電源を最適に選択して電源供給することができる。
【０３１２】
このように本発明の第２６実施例の電力管理装置によれば、配電線容量を超過しない容量範囲の電力であれば、蓄電手段を利用して最適な電源供給をすることができる。
【０３１３】
なお、蓄電手段として蓄電池を例としたが、電気二重層コンデンサ等の蓄電手段であっても同様の効果があることは自明の理である。
【０３１４】
また、電気機器は４個を例としたが、任意の個数の電気機器であっても同様の効果が得られることは自明の理である。
【０３１５】
また、電力検知手段は５個を例としたが、複数個の個数であれば、同様の効果があることは自明の理である。
【０３１６】
さらに、分配配電ブレーカーの出力端子は４個を例としたが、複数個の個数であれば、同様の効果があることは自明の理である。
【０３１７】
【発明の効果】
以上の実施例から明らかなように、本発明によれば供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から前記分配配電ブレーカーの配電する容量を電気機器に合わせて設定し前記分配配電ブレーカーの組合せを変更し分配配電ブレーカーを制御する配電コントロール手段を備えたことで、家庭で使用する電気機器の使用場所、使用状態に関わらず、ブレーカー容量を超過して遮断されることを低減することができる効果のある電力管理装置が提供できる。
【０３１８】
また、負荷を予測する負荷予測手段と、負荷予測結果から電力供給側の負荷変動を予測し、予測結果に応じて分配配電ブレーカーの組合せを変更する配電コントロール手段を備えたことで、配電の状態を集中監視することができる効果のある電力管理装置が提供できる。
【０３１９】
さらに、供給側の電力を接続、遮断する系統配電ブレーカーと、各配電線への電力を接続、遮断する分配配電ブレーカーと、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から分配配電ブレーカーを制御する配電コントロール手段と、電力状態、前記系統配電ブレーカーの接続状況、分配配電ブレーカーの接続状況の全てあるいはいずれかの状態を表示する表示手段を備えたことで、停電時等の電源遮断時に各電気機器の設定状態を一時的に待避させ、電源復帰時に設定状態を復元し、再設定の手間を省くことができる効果のある電力管理装置が提供できる。
【０３２０】
また、停電等の供給電源側が不安定、休止あるいは停止した際に各電気機器の設定状態を記憶する設定記憶手段と、供給電源が復帰した際に前記各電気機器へ設定状態を送信する設定送信手段を備える請求項１から３いずれかに記載の電力管理装置の構成とすることで、停電時等の電源遮断時に各電気機器の設定状態を一時的に待避させ、電源復帰時に設定状態を復元し、再設定の手間を省くことができる効果のある電力管理機器が提供できる。
【０３２１】
また、商用電源に接続される配電盤と、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーを制御する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段を備える構成としたことで、各配電系統のいずれかが部分的に休止した場合、休止した配電系統に接続されていた各電気機器の設定状態を一時的に待避させ、電源復帰時に設定状態を復元し、再設定の手間を省くことができる効果のある電力管理機器を提供できる。
【０３２２】
また、商用電源に接続される配電盤と、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーを制御する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段を備える構成としたことで、供給される電力が不安定となった場合や、節電の必要性が発生した場合に、各配電ブレーカーの最適合成を行い、停電時の対応として電気機器の設定状態を記憶し、復帰時に再設定することで再設定の手間を省くことができる効果のある電力管理機器が提供できる。
【０３２３】
また、商用電源に接続される配電盤と、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーの組合せを変更し、最適に合成する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段と、各配電線に優先順位を設定し、制御する優先制御手段と、電気機器に供給する電力を調整する電力調整手段を備える構成としたことで、供給電源の電圧が下降した場合に、電気機器への電力供給条件を変更することで電気機器の安全性を高めると同時に、電気機器の利用効率を上げることができる効果のある電力管理機器が提供できる。
【０３２４】
また、商用電源に接続される配電盤と、契約電力を入力する契約電力入力手段と、各配電線への供給電力を検知する電力検知手段と、各配電線の供給可能電力を設定する配電線電力設定手段と、消費電力量の最大電気機器の消費電力量を入力する最大消費入力手段と、各配電線に新たに電気機器の追加が可能かどうかを判定する追加判定手段と、追加の可否判定から配電ブレーカーの組合せを変更し、最適に合成する配電コントロール手段と、供給側の電力を接続、遮断する系統配電ブレーカーと、各配電線への電力を接続、遮断する分配配電ブレーカーと、電力状態、前記系統配電ブレーカーの接続状況、分配配電ブレーカーの接続状況の全てあるいはいずれかの状態を表示する表示手段と、停電等の供給電源側が不安定、休止あるいは停止した際に各電気機器の設定状態を記憶する設定記憶手段と、供給電源が復帰した際に前記各電気機器へ設定状態を送信する設定送信手段と、供給電源側の節電の必要性を判定する節電判定手段と、各配電線に優先順位を設定し、制御する優先制御手段と、電気機器に供給する電力を調整する電力調整手段と、外部と通信し、外部から設定状態を変更あるいは確認する外部通信手段を備える構成としたことで、外部との通信により、供給電源の安定性の低下、外部から電気機器の設定変更を行うことができる効果のある電力管理機器が提供できる。
【０３２５】
また、供給される電力を蓄電可能な電力に変換する電力変換手段と、変換された電力を蓄電する蓄電手段を備える構成としたことで、電気機器の安全性を高めると同時に、電気機器の利用効率を上げることができる効果のある電力管理装置が提供できる。
【図面の簡単な説明】
【図１】本発明の第１実施例の電力管理装置の構成図
【図２】同配電コントロール手段の制御フローチャート
【図３】同契約電力入力手段の説明図
【図４】同追加判定手段の説明図
【図５】同追加判定手段のフローチャート
【図６】同分配配電ブレーカーの説明図
【図７】同配電ブレーカー、配電コントロール手段の説明図
【図８】同配電線電力設定手段の構成図
【図９】同最大消費入力手段の構成図
【図１０】本発明の第２実施例の電力管理装置の構成図
【図１１】同配電コントロール手段の制御フローチャート
【図１２】同配電コントロール手段の追加運転可能と判定した場合の制御フローチャート
【図１３】本発明の第３実施例の電力管理装置の構成図
【図１４】同配電コントロール手段の制御フローチャート
【図１５】同優先順位の選択機構の説明図
【図１６】本発明の第4実施例の電力管理装置の構成図
【図１７】同負荷予測手段の構成図
【図１８】同負荷演算部の制御フローチャート
【図１９】同配電コントロール手段のフローチャート
【図２０】本発明の第５実施例の電力管理装置の構成図
【図２１】同表示切替手段のフローチャート
【図２２】同送電電力過不足通知手段の制御フローチャート
【図２３】本発明の第６実施例の電力管理装置の構成図
【図２４】同設定記憶手段の制御フローチャート
【図２５】同送信データの一例を示す図
【図２６】同設定送信手段の制御フローチャート
【図２７】本発明の第７実施例の電力管理装置の構成図
【図２８】同配電コントロール手段の制御フローチャート
【図２９】本発明の第８実施例の電力管理装置の構成図
【図３０】同配電コントロール手段の制御フローチャート
【図３１】本発明の第９実施例の電力管理装置の構成図
【図３２】本発明の第１０実施例の電力管理装置の構成図
【図３３】同配電コントロール手段の制御フローチャート
【図３４】本発明の第１１実施例の電力管理装置の構成図
【図３５】同節電判定手段の判定フローチャート
【図３６】本発明の第１２実施例の電力管理装置の構成図
【図３７】本発明の第１３実施例の電力管理装置の構成図
【図３８】本発明の第１４実施例の電力管理装置の構成図
【図３９】本発明の第１５実施例の電力管理装置の構成図
【図４０】同配電コントロール手段の制御フローチャート
【図４１】本発明の第１６実施例の電力管理装置の構成図
【図４２】同配電コントロール手段の制御フローチャート
【図４３】本発明の第１７実施例の電力管理装置の構成図
【図４４】同配電コントロール手段の制御フローチャート
【図４５】本発明の第１８実施例の電力管理装置の構成図
【図４６】同配電コントロール手段の制御フローチャート
【図４７】本発明の第１９実施例の電力管理装置の構成図
【図４８】同配電コントロール手段の制御フローチャート
【図４９】本発明の第２０実施例の電力管理装置の構成図
【図５０】同配電コントロール手段の制御フローチャート
【図５１】本発明の第２１実施例の電力管理装置の構成図
【図５２】同配電コントロール手段の制御フローチャート
【図５３】本発明の第２２実施例の電力管理装置の構成図
【図５４】同配電コントロール手段の制御フローチャート
【図５５】本発明の第２３実施例の電力管理装置の構成図
【図５６】同配電コントロール手段の制御フローチャート
【図５７】本発明の第２４実施例の電力管理装置の構成図
【図５８】同配電コントロール手段の制御フローチャート
【図５９】本発明の第２５実施例の電力管理装置の構成図
【図６０】同外部通信手段の制御フローチャート
【図６１】同配電コントロール手段の制御フローチャート
【図６２】本発明の第２６実施例の電力管理装置の構成図
【図６３】同追加判定手段の制御フローチャート
【図６４】従来の電力管理装置の構成図
【符号の説明】
１    電気機器
２    系統配電ブレーカー
３    分配配電ブレーカー
４    契約電力入力手段
５    電力検知手段
６    配電線電力設定手段
７    最大消費入力手段
８    追加判定手段
９    配電コントロール手段
１０  負荷予測手段
１１  表示手段
１２  設定記憶手段
１３  設定送信手段
１４  節電判定手段
１５  電力調整手段
１６  外部通信手段
１７  電力変換手段
１８  蓄電手段
【図１】
0003756020.tif 000002
【図２】
0003756020.tif 000003
【図３】
0003756020.tif 000004
【図４】
0003756020.tif 000005
【図５】
0003756020.tif 000006
【図６】
0003756020.tif 000007
【図７】
0003756020.tif 000008
【図８】
0003756020.tif 000009
【図９】
0003756020.tif 000010
【図１０】
0003756020.tif 000011
【図１１】
0003756020.tif 000012
【図１２】
0003756020.tif 000013
【図１３】
0003756020.tif 000014
【図１４】
0003756020.tif 000015
【図１５】
0003756020.tif 000016
【図１６】
0003756020.tif 000017
【図１７】
0003756020.tif 000018
【図１８】
0003756020.tif 000019
【図１９】
0003756020.tif 000020
【図２０】
0003756020.tif 000021
【図２１】
0003756020.tif 000022
【図２２】
0003756020.tif 000023
【図２３】
0003756020.tif 000024
【図２４】
0003756020.tif 000025
【図２５】
0003756020.tif 000026
【図２６】
0003756020.tif 000027
【図２７】
0003756020.tif 000028
【図２８】
0003756020.tif 000029
【図２９】
0003756020.tif 000030
【図３０】
0003756020.tif 000031
【図３１】
0003756020.tif 000032
【図３２】
0003756020.tif 000033
【図３３】
0003756020.tif 000034
【図３４】
0003756020.tif 000035
【図３５】
0003756020.tif 000036
【図３６】
0003756020.tif 000037
【図３７】
0003756020.tif 000038
【図３８】
0003756020.tif 000039
【図３９】
0003756020.tif 000040
【図４０】
0003756020.tif 000041
【図４１】
0003756020.tif 000042
【図４２】
0003756020.tif 000043
【図４３】
0003756020.tif 000044
【図４４】
0003756020.tif 000045
【図４５】
0003756020.tif 000046
【図４６】
0003756020.tif 000047
【図４７】
0003756020.tif 000048
【図４８】
0003756020.tif 000049
【図４９】
0003756020.tif 000050
【図５０】
0003756020.tif 000051
【図５１】
0003756020.tif 000052
【図５２】
0003756020.tif 000053
【図５３】
0003756020.tif 000054
【図５４】
0003756020.tif 000055
【図５５】
0003756020.tif 000056
【図５６】
0003756020.tif 000057
【図５７】
0003756020.tif 000058
【図５８】
0003756020.tif 000059
【図５９】
0003756020.tif 000060
【図６０】
0003756020.tif 000061
【図６１】
0003756020.tif 000062
【図６２】
0003756020.tif 000063
【図６３】
0003756020.tif 000064
【図６４】
0003756020.tif 000065